(57)【要約】【課題】簡単に３Ｄ画像を撮影することができる撮像システムを提供する。【解決手段】単体で２Ｄ撮影が可能なデジタルカメラ１０を所定の撮影スポットに設置されたスタンド４０に取り付ける。スタンド４０には、撮像ユニット４８が組み込まれており、スタンド４０に取り付けられたデジタルカメラ１０は、この撮像ユニット４８との間で所定の視差を有する画像を撮影するようにセットされる。これにより、面倒な設定を行なうことなく、その場所で最適な３Ｄ画像を簡単かつ確実に撮影することができる。【選択図】      図５
2005151060.tif 000002
【特許請求の範囲】
【請求項１】
撮影スポットに設置されたスタンドと、
前記スタンドに着脱自在に取り付けられる第１撮像ユニットと、
前記スタンドに組み込まれた第２撮像ユニットと、
前記第１撮像ユニットに設けられた第１通信手段と、
前記第２撮像ユニットに設けられ、前記スタンドに取り付けられた第１撮像ユニットの第１通信手段との間で信号の送受信を行なう第２通信手段と、
前記第１通信手段と前記第２通信手段を介して前記第２撮像ユニットの撮像動作を前記第１撮像ユニットの撮像動作に同期させる撮像制御手段と、
からなり、前記第１撮像ユニットは、前記スタンドに取り付けられると、あらかじめ設定された景観が撮像されるように前記スタンドに取り付けられるとともに、前記第２撮像ユニットとの間で所定の視差を有する画像が撮像されるように前記スタンドに取り付けられることを特徴とする撮像システム。
【請求項２】
前記第１撮像ユニットに設けられた記録手段と、
前記第１撮像ユニットに設けられ、該第１撮像ユニットで撮像された画像を前記記録手段に記録するとともに、前記第１通信手段と前記第２通信手段を介して前記第２撮像ユニットで撮像された画像データを取得し、前記記録手段に記録する記録制御手段と、
を備えたことを特徴とする請求項１に記載の撮像システム。
【請求項３】
前記第２撮像ユニットに設けられ、撮像時に前記第１撮像ユニットに設定すべき撮像条件の情報が記録された撮像条件記録手段と、
前記第１撮像ユニットに設けられ、前記第１通信手段と前記第２通信手段を介して前記撮像条件記録手段に記録された撮像条件の情報を取得し、前記第１撮像ユニットの撮像条件を設定する設定手段と、
を備えたことを特徴とする請求項１又は２に記載の撮像システム。
【請求項４】
前記スタンドは、テーマパーク、イベント施設等の施設内に設置されるとともに、前記第１撮像ユニットは前記施設を利用するユーザに貸与されることを特徴とする請求項１、２又は３に記載の撮像システム。
【発明の詳細な説明】
【技術分野】
【０００１】
本発明は撮像システムに係り、特にあらかじめ設定された撮影スポットで立体画像（３Ｄ画像）を撮像する撮像システムに関する。
【背景技術】
【０００２】
テーマパークや観光施設、イベント会場などでは、カメラを来場者にレンタルし、撮影後回収して写真プリントを提供するというサービスが以前から行なわれている。そして、このようなサービスを行なっているテーマパークなどでは、撮影するのに最適な場所をあらかじめ設定しておき、撮影の機会を多くしようとする工夫がなされている場合が多い。
【０００３】
ところで、近年、カメラの付加価値として３Ｄ撮影機能が注目されつつあり、３Ｄ撮影が可能なカメラが各種提案されている。たとえば、特許文献１では、単体で２Ｄ撮影が可能な第１の撮像ユニットに撮影光学系を有する第２の撮像ユニットを接続することにより、３Ｄ撮影ができるようにした撮影装置が提案されている。
【特許文献１】特開平１１−３５５６２４号公報
【発明の開示】
【発明が解決しようとする課題】
【０００４】
しかしながら、３Ｄ画像を撮影するための最適な撮影条件の設定は難しく、撮影に慣れていない一般ユーザが３Ｄカメラを用いて撮影しても、面白みにかける画像となってしまうという問題があった。
【０００５】
本発明はこのような事情に鑑みてなされたもので、簡単に３Ｄ画像を撮影することができる撮像システムを提供することを目的とする。
【課題を解決するための手段】
【０００６】
請求項１に係る発明は、前記目的を達成するために、撮影スポットに設置されたスタンドと、前記スタンドに着脱自在に取り付けられる第１撮像ユニットと、前記スタンドに組み込まれた第２撮像ユニットと、前記第１撮像ユニットに設けられた第１通信手段と、前記第２撮像ユニットに設けられ、前記スタンドに取り付けられた第１撮像ユニットの第１通信手段との間で信号の送受信を行なう第２通信手段と、前記第１通信手段と前記第２通信手段を介して前記第２撮像ユニットの撮像動作を前記第１撮像ユニットの撮像動作に同期させる撮像制御手段と、からなり、前記第１撮像ユニットは、前記スタンドに取り付けられると、あらかじめ設定された景観が撮像されるように前記スタンドに取り付けられるとともに、前記第２撮像ユニットとの間で所定の視差を有する画像が撮像されるように前記スタンドに取り付けられることを特徴とする撮像システムを提供する。
【０００７】
本発明によれば、撮影スポットに設置されたスタンドに対して第１撮像ユニットが着脱自在に設けられており、この第１撮像ユニットをスタンドに取り付けると、あらかじめ設定された景観が撮像されるようにセットされる。また、あらかじめスタンドに組み込まれた第２撮像ユニットとの間で所定の視差を有する画像が撮像されるようにセットされ、この第２撮像ユニットと同期して撮像が行なわれる。これにより、面倒なセッティング等を行なわなくても簡単に最適な場所で最適な３Ｄ画像を撮像することができる。また、３Ｄ撮影を行なわない場合は、第１撮像ユニット単体で撮像することもできる。
【０００８】
また、請求項２に係る発明は、前記目的を達成するために、前記第１撮像ユニットに設けられた記録手段と、前記第１撮像ユニットに設けられ、該第１撮像ユニットで撮像された画像を前記記録手段に記録するとともに、前記第１通信手段と前記第２通信手段を介して前記第２撮像ユニットで撮像された画像データを取得し、前記記録手段に記録する記録制御手段と、を備えたことを特徴とする請求項１に記載の撮像システムを提供する。
【０００９】
本発明によれば、スタンドに対して着脱自在に設けられた第１撮像ユニットに記録媒体が備えられており、この記録媒体に第１撮像ユニット及び第２撮像ユニットで撮像された画像が記録される。
【００１０】
また、請求項３に係る発明は、前記目的を達成するために、前記第２撮像ユニットに設けられ、撮像時に前記第１撮像ユニットに設定すべき撮像条件の情報が記録された撮像条件記録手段と、前記第１撮像ユニットに設けられ、前記第１通信手段と前記第２通信手段を介して前記撮像条件記録手段に記録された撮像条件の情報を取得し、前記第１撮像ユニットの撮像条件を設定する設定手段と、を備えたことを特徴とする請求項１又は２に記載の撮像システムを提供する。
【００１１】
本発明によれば、第１撮像ユニットをスタンドに取り付けると、第２撮像ユニットに設けられた撮像条件記録手段から第１撮像ユニットに設定すべき撮像条件の情報、たとえばフォーカス位置、絞り値、ズーム倍率の情報等が読み出され、その情報に基づいて第１撮像ユニットの撮像条件が設定される。これにより、面倒な設定を行なうことなく、より効果的な３Ｄ画像を簡単に行なうことができる。
【００１２】
また、請求項４に係る発明は、前記目的を達成するために、前記スタンドは、テーマパーク、イベント施設等の施設内に設置されるとともに、前記第１撮像ユニットは前記施設を利用するユーザに貸与されることを特徴とする請求項１、２又は３に記載の撮像システムを提供する。
【００１３】
本発明によれば、テーマパークやイベント施設等の施設内にスタンドが設置され、その施設を利用するユーザに第１撮像ユニットが貸与される。これにより、施設を利用するユーザの撮影意欲を高めることができる。また、撮影場所の価値を高めることができ、テーマパークやイベント施設の認知度を上げることができる。
【発明の効果】
【００１４】
本発明によれば、第１撮像ユニットをスタンドに取り付けるだけで、最適な撮影スポットで最適な３Ｄ画像を撮像することができる。また、第１撮像ユニットは単体で携帯することができ、あらかじめ設定された撮影スポットでの３Ｄ撮影だけでなく、任意の場所での２Ｄ撮影も行なうことができる。
【発明を実施するための最良の形態】
【００１５】
以下、添付図面に従って本発明に係る撮像システムの好ましい実施の形態について詳説する。
【００１６】
図１は、本発明に係る撮像システムの概念図である。本発明に係る撮像システムは、たとえばテーマパーク等で用いられるもので、パークの来場者にデジタルカメラを貸与し、撮影後回収して撮影画像のプリントと引き換えるものである。
【００１７】
パーク１内には、来場者にデジタルカメラ（第１撮像ユニット）１０を貸与するカメラセンタ２が設置されている。来場者は、このカメラセンタ２でデジタルカメラ１０を借りて、パーク１内で撮影する。撮影を終えたデジタルカメラ１０は、カメラセンタ２に返却するものとし、カメラセンタ２は、この返却されたデジタルカメラ１０から画像データを取り出し、写真プリントにして撮影者に引き渡す。
【００１８】
ここで、パーク１内には、撮影する場所として最適な撮影スポットが複数箇所用意されており、この撮影スポットで撮影することにより、最適な景観をバックに撮影ができるように工夫がなされている。そして、この撮影スポットには、図２に示すように、貸与されたデジタルカメラ１０を用いて簡単に３Ｄ撮影ができるように、３Ｄ撮影用のスタンド４０が設置されており、デジタルカメラ１０を借りたユーザは、このスタンド４０にデジタルカメラを取り付け、所定の立ち位置に被写体を立たせて撮影することにより、面倒なセッティングを一切行なうことなく、簡単に３Ｄ撮影ができるようになっている。
【００１９】
図３、図４は、それぞれデジタルカメラ１０とスタンド４０の構成を示す正面図と背面図である。
【００２０】
同図に示すように、デジタルカメラ１０のカメラボディ１２は、四角い箱状に形成されている。カメラボディ１２の正面には、撮影レンズ１４、ファインダ窓１６、ストロボ１８、セルフタイマランプ２０等が設けられており、上面には、レリーズボタン２２が設けられている。また、カメラボディ１２の側面には、デジタルカメラ１０をスタンド４０に取り付けるための一対のメスジョイント２４、２４、通信用のメスコネクタ２６等が設けられており、背面にはファインダ接眼部２８、液晶モニタ３０、モードスイッチ３２、メニュー／ＯＫボタン３４、十字ボタン３６、キャンセルボタン３８、電源ボタン３９等が設けられている。
【００２１】
撮影レンズ１４は、単焦点レンズで構成されており、光量を調節するための絞り機構と、焦点位置を調節するためのフォーカス機構を備えている。この撮影レンズ１４の後方には、図示しない固体撮像素子（ＣＣＤ）が配置されている。ＣＣＤは、撮影レンズ１４を介して入射された被写体の画像光を光電変換し、画像信号として出力する。
【００２２】
レリーズボタン２２は、半押しと全押しからなる二段ストロークの押圧ボタンで構成されており、半押しでＡＥ／ＡＦ／ＡＷＢが行なわれ、全押しで撮影が実行される。
【００２３】
液晶モニタ３０は、撮影済み画像の再生用モニタとして使用されるほか、撮影時にスルー画像を表示して電子ビューファインダとしても使用される。また、各種設定を行なう際のメニュー画面としても使用される。
【００２４】
モードスイッチ３２は、カメラのモードを切り替えるスイッチであり、このモードスイッチ３２の設定位置により、カメラのモードが、静止画撮影を行なう「撮影モード」と、撮影済み画像の再生を行なう「再生モード」とに設定される。
【００２５】
メニュー／ＯＫボタン３４は、各モードの通常画面からメニュー画面への遷移を指示するボタンとして機能するとともに、選択内容の確定や処理の実行等を指示するボタンとして機能する。
【００２６】
十字ボタン３６は、上下左右四方向の指示を入力するボタンとして機能し、メニュー画面などから所望の項目を選択したり、各メニューにおける各種設定項目の選択内容を指示する際に使用される。
【００２７】
キャンセルボタン３８は、入力操作のキャンセル等を指示するボタンとして機能し、各種設定操作等を途中でやめるときなどに使用される。
【００２８】
スタンド４０は、ベース部４２と、そのベース部４２から垂直に立設されたポール部４４と、ポール部４４の頂部に設けられたカメラ装着部４６と、カメラ装着部４６に組み込まれた撮像ユニット（第２撮像ユニット）４８とで構成されている。
【００２９】
カメラ装着部４６は、四角い箱状に形成されており、その側面には、デジタルカメラ１０を取り付けるための一対のオスジョイント５０、５０と、通信用のオスコネクタ５２とが設けられている。
【００３０】
デジタルカメラ１０は、その側面に形成された一対のメスジョイント２４、２４をカメラ装着部４６に設けられた一対のオスジョイント５０、５０に嵌合させることによりスタンド４０に取り付けられる。そして、このスタンド４０に取り付けられることにより、デジタルカメラ１０は、その撮影レンズ１４の向きが所定方向に向けられ、あらかじめ設定された景観が撮影されるようにセットされる。
【００３１】
また、デジタルカメラ１０は、メスジョイント２４、２４とオスジョイント５０、５０とを嵌合させて、カメラ装着部４６に取り付けると、そのメスジョイント２４、２４の間に設けられたメスコネクタ２６にカメラ装着部４６側のオスコネクタ５２が差し込まれ、カメラ装着部４６に組み込まれた撮像ユニット４８と間で信号の送受信が可能になる。
【００３２】
カメラ装着部４６に組み込まれた撮像ユニット４８は、その撮影レンズ５４がカメラ装着部４６の正面に設けられている。この撮像ユニット４８の撮影レンズ５４は、デジタルカメラ１０の撮影レンズ５４と同じ仕様のものが用いられており、デジタルカメラ１０をカメラ装着部４６に装着した際、デジタルカメラ１０の撮影レンズ５４と同じ高さに位置するように配置されている。すなわち、この撮像ユニット４８は、カメラ装着部４６に取り付けられたデジタルカメラ１０との間で左右に所定の視差を有する画像を撮像するようにカメラ装着部４６に組み込まれている。
【００３３】
図５はデジタルカメラ１０と撮像ユニット４８の構成を示すブロック図である。
【００３４】
デジタルカメラ１０は、ＣＰＵ６０、撮像回路６２、画像信号処理回路６４、ＡＥ／ＡＦ／ＡＷＢ検出回路６６、レンズ駆動装置６８、圧縮／伸張処理回路７０、内蔵メモリ７２、画像再生処理回路７４、通信インターフェイス７６、接続検出回路７８、同期信号発生回路８０、ＲＯＭ８２、ＲＡＭ８４、及びレリーズボタン２２、十字ボタン３６等の操作部８６等で構成されており、全体をＣＰＵ６０によって統括制御されている。ＲＯＭ８２には、このＣＰＵ６０が実行するプログラム及び制御に必要な各種データ等が格納されている。
【００３５】
撮像回路６２は、ＣＣＤ、ＣＤＳ回路、ゲイン調整回路、Ａ／Ｄ変換器等を含み、ＣＰＵ６０からのコマンドに従って画像データの取り込みを行なう。撮影レンズ１４を介してＣＣＤの受光面に結像された被写体像は、ＣＣＤで光電変換され、画像信号として順次読み出される。ＣＣＤから読み出された画像信号は、ＣＤＳ回路で各画素毎にサンプリングホールドされ、図示しないゲインコントロールアンプで増幅されたのち、Ａ／Ｄ変換器でＲ、Ｇ、Ｂの点順次のデジタル信号に変換されて出力される。
【００３６】
画像信号処理回路６４は、輝度・色差信号生成回路、ガンマ補正回路、シャープネス補正回路、コントラスト補正回路、ホワイトバランス補正回路等を含み、ＣＰＵ６０からのコマンドに従って画像信号を処理する。この画像信号処理回路６４に入力された画像信号は、輝度信号（Ｙ信号）及び色差信号（Ｃr,Ｃb 信号）に変換されるとともに、ガンマ補正等の所定の処理が施される。
【００３７】
ＡＥ／ＡＦ／ＡＷＢ検出回路６６は、ＡＥ積算回路、オートホワイトバランス（ＡＷＢ）ゲイン検出回路、オートフォーカス（ＡＦ）値検出回路を含み、ＣＰＵ６０からのコマンドに従ってＡＥ値、ＡＷＢ値、ＡＦ値を検出する。すなわち、撮像回路６２から出力される１フレーム分の映像信号（Ｒ，Ｇ，Ｂのデジタル信号）に基づいて測光値（ＡＥ値）を検出するとともに、ＲＧＢの各信号レベルを検出し、各信号レベルを合わせるようにＲＧＢ信号のゲイン値（ＡＷＢ値）を算出する。また、撮像回路６２から受入する映像信号に基づいて被写体像の鮮鋭度を示す焦点評価値を検出し、その焦点評価値を利用してフォーカス位置（ＡＦ値）を検出する。
【００３８】
ＡＥ／ＡＦ／ＡＷＢ検出回路６６で検出されたＡＥ値、ＡＷＢ値、ＡＦ値は、ＣＰＵ６０に出力され、ＣＰＵ６０は、このＡＥ／ＡＦ／ＡＷＢ検出回路６６で検出されたＡＥ値、ＡＷＢ値、ＡＦ値に基づいてカメラの露出制御、ホワイトバランス制御、オートフォーカス制御を実行する。すなわち、得られたＡＥ値に従ってレンズ駆動装置６８を制御し、撮影レンズ１４の絞り値を設定するとともに、ＣＣＤの電子シャッタ値を設定して露出制御を行い、得られたＡＷＢ値に従ってゲインコントロールアンプを制御して、ホワイトバランス制御を行なう。また、得られたＡＦ値に従ってレンズ駆動装置６８を制御し、撮影レンズ１４のフォーカス位置を調節し、オートフォーカス制御を行なう。
【００３９】
圧縮／伸張処理回路７０は、画像データの内蔵メモリ７２への記録時に画像データを所定形式（たとえば、ＪＰＥＧ）に従って圧縮するとともに、画像データの再生時に内蔵メモリ７２から読み出した圧縮画像データを伸張する。
【００４０】
画像再生処理回路７４は、ＣＰＵ６０からのコマンドに従って液晶モニタ３０に表示する画像データを表示用の所定方式の信号（たとえば、ＮＴＳＣ方式のカラー複合映像信号）に変換して液晶モニタ３０に出力する。
【００４１】
通信インターフェイス７６は、ＣＰＵ６０からのコマンドに従い、メスコネクタ２６を介して接続された外部機器との間で信号の送受信を行なう。
【００４２】
接続検出回路７８は、デジタルカメラ１０に外部機器が接続されたことを検出する手段であって、メスコネクタ２６の接点でデジタルカメラ１０に外部機器が接続されたことを検出する。そして、その接続検出情報をＣＰＵ６０に出力する。
【００４３】
同期信号発生回路８０は、撮像回路６２、画像信号処理回路６４、ＡＥ／ＡＦ／ＡＷＢ検出回路６６等にタイミング信号を与えるとともに、デジタルカメラ１０に接続された撮像ユニット４８に対して信号処理の同期信号を与える。
【００４４】
ＲＡＭ８４は、プログラムの展開領域及びＣＰＵ６０の演算作業用領域として利用されるとともに、画像データの一時記憶領域として利用される。
【００４５】
以上のように構成されたデジタルカメラ１０は、モードスイッチ３２でカメラのモードを撮影モードに設定することで静止画の記録が可能になる。この撮影モードの下、レリーズボタン２２が半押しされると（Ｓ１ＯＮ）、ＡＥ、ＡＦ、ＡＷＢ制御が行なわれ、この後、レリーズボタン２２が全押しされると（Ｓ２ＯＮ）、撮影が実行される。すなわち、撮像回路６２で１コマ分の画像データが取り込まれ、画像信号処理回路６４で所定の信号処理が施されたのち、圧縮／伸張処理回路７０で圧縮され、所定形式の静止画ファイルとして内蔵メモリ７２に記録される。
【００４６】
内蔵メモリ７２に記録された画像データは、モードスイッチ３２でカメラのモードを再生モードに設定することで再生が可能になる。すなわち、モードスイッチ３２でカメラのモードが再生モードに設定されると、内蔵メモリ７２に記録された画像データが読み出され、圧縮／伸張処理回路７０で伸張された後、画像再生処理回路７４を介して液晶モニタ３０に出力される。
【００４７】
撮像ユニット４８は、ＣＰＵ９０、撮像回路９２、画像信号処理回路９４、レンズ駆動装置９６、通信インターフェイス９８、ＲＯＭ１００、ＲＡＭ１０２等で構成されている。撮影レンズ５４、撮像回路９２、画像信号処理回路９４、レンズ駆動装置９６、通信インターフェイス９８、ＲＡＭ１０２は、デジタルカメラ１０のそれと同じ仕様のものが用いられている。
【００４８】
この撮像ユニット４８は、全体をＣＰＵ９０によって統括制御されており、ＣＰＵ９０は、デジタルカメラ１０が接続されると、通信インターフェイス９８を介してデジタルカメラ１０から各種制御情報を取得し、デジタルカメラ１０と同期した撮影処理を実行する。ＲＯＭ１００には、このＣＰＵ９０が実行するプログラム及び制御に必要な各種データ等が格納されている。
【００４９】
デジタルカメラ１０のＣＰＵ６０は、接続検出回路７８を介して撮像ユニット４８への接続を検出すると、３Ｄ撮影モードとして、接続された撮像ユニット４８と同期した撮影を行なうための処理を実行する。
【００５０】
この３Ｄ撮影モードの下、デジタルカメラ１０のレリーズボタン２２が半押しされると（Ｓ１ＯＮ）、デジタルカメラ１０のＣＰＵ６０は、ＡＥ／ＡＦ／ＡＷＢ検出回路６６の検出結果に基づくＡＥ、ＡＦ、ＡＷＢ制御を実行するとともに、そのＡＥ、ＡＦ、ＡＷＢ制御の情報を通信インターフェイス７６、９８を介して撮像ユニット４８のＣＰＵ９０に通知する。
【００５１】
撮像ユニット４８のＣＰＵ９０は、このデジタルカメラ１０から取得したＡＥ、ＡＦ、ＡＷＢ制御の情報に基づいてデジタルカメラ１０と同じＡＥ、ＡＦ、ＡＷＢ制御を実行する。
【００５２】
また、デジタルカメラ１０のＣＰＵ６０は、レリーズボタン２２が全押しされ、Ｓ２ＯＮ信号を入力すると、そのＳ２ＯＮ信号を通信インターフェイス７６、９８を介して撮像ユニット４８のＣＰＵ９０に通知し、同期して画像の取り込み制御を実行させる。
【００５３】
撮像ユニット４８のＣＰＵ９０は、このデジタルカメラ１０から取得したＳ２ＯＮ信号に基づいて画像データの取り込みを行なう。すなわち、撮像回路９２で１コマ分の画像データを取り込み、画像信号処理回路９４で所定の信号処理を施す。
【００５４】
画像信号処理回路９４で所定の信号処理が施された画像データは、通信インターフェイス９８を介してデジタルカメラ１０に出力され、デジタルカメラ１０の圧縮／伸張処理回路７０で圧縮されたのち、所定形式の静止画ファイルとしてデジタルカメラ１０の内蔵メモリ７２に記録される。
【００５５】
このように、スタンド４０に設けられた撮像ユニット４８は、デジタルカメラ１０が接続されると、そのデジタルカメラ１０と同期して撮影処理が行なわれる。そして、その撮影した画像データをデジタルカメラ１０に出力し、デジタルカメラ１０の内蔵メモリ７２に記録させる。
【００５６】
この際、撮影された画像データは、３Ｄ画像を構成するものであることを示すため、特定のファイル名が付与されて内蔵メモリ７２に記録される。たとえば、デジタルカメラ１０で撮影された画像データに対しては「ＤＳＣＦ＿Ｒ００１」というファイル名が付与され、撮像ユニット４８で撮影された画像データに対しては「ＤＳＣＦ＿Ｌ００１」というファイル名が付与される（下３桁の数字部分は、撮影順に付与される番号）。
【００５７】
前記のごとく構成された本実施の形態の撮像システムの作用は次のとおりである。          
【００５８】
上記のように、デジタルカメラ１０は、パーク１内に設置されたカメラセンタ２で貸与される。このデジタルカメラ１０は、単体でも撮影することができ、ユーザは、このデジタルカメラ１０を用いてパーク１内の任意の場所で撮影（２Ｄ撮影）を行なうことができる。
【００５９】
また、パーク１内には、最適な景観をバックに撮影ができるように、あらかじめ複数の撮影スポットが用意されている。そして、この撮影スポットには、３Ｄ撮影用のスタンド４０が、あらかじめ用意されており、このスタンド４０にデジタルカメラ１０を取り付け、所定の立ち位置に被写体を立たせることにより、簡単に３Ｄ撮影を行なうことができるようにされている。
【００６０】
ここで、このスタンド４０にデジタルカメラ１０を取り付けると、デジタルカメラ１０は、撮影レンズ１４の向き及びアングルが固定され、スタンド４０に設けられた撮像ユニット４８との間で３Ｄ撮影をするのに最適な状態にセットされる。
【００６１】
また、このスタンド４０にデジタルカメラ１０を取り付けると、デジタルカメラ１０は、そのモードが３Ｄ撮影モードに移行し、スタンド４０に設けられた撮像ユニット４８との間で同期して撮影が行なわれる。すなわち、撮像ユニット４８と同じタイミングで撮影が行なわれ、所定の視差を有する画像の取り込みが行なわれる。撮像ユニット４８で撮影された画像データは、デジタルカメラ１０に取り込まれ、デジタルカメラ１０で撮影された画像データと共に内蔵メモリ７２に記録される。
【００６２】
このように、デジタルカメラ１０は、単体での２Ｄ撮影と、所定の撮影スポットでスタンド４０に取り付けて行なう３Ｄ撮影とを自由に選択して行なうことができ、内蔵メモリ７２の空き容量が無くなるまで撮影を行なうことができる。
【００６３】
撮影を終了したデジタルカメラ１０は、カメラセンタ２で回収され、カメラセンタ２は、その回収したデジタルカメラ１０から画像データを読み出して、写真プリントを生成する。
【００６４】
この際、画像データの読み出しは、デジタルカメラ１０に形成された通信用のメスコネクタ２６を介して行なわれ、このメスコネクタ２６に通信ケーブル等を接続して内蔵メモリ７２に記録された画像データをパーソナルコンピュータ等に読み出す。
【００６５】
また、プリントは、２Ｄ撮影された画像データに対しては通常の写真プリントを生成し、３Ｄ撮影された画像データに対しては立体写真プリントを生成して、ユーザに提供する。ここで、左右の視差画像から生成する立体写真プリントとしては、カラーフィルタ方式やパララックスバリア方式、レンチキュラ方式等の公知の立体視システムを用いた写真プリントを生成する。
【００６６】
なお、写真プリントとしてではなく、ＣＤ−ＲＯＭ等の記録媒体に撮影した画像データを格納してユーザに提供するようにしてもよい。この場合、３Ｄ撮影された画像データに対してはディスプレイ上で立体視できる状態に加工して記録媒体に格納するようにしてもよい。
【００６７】
以上説明したように、本実施の形態の撮像システムによれば、単体でも撮影（２Ｄ撮影）が可能なデジタルカメラ１０をスタンド４０に取り付けるだけで、面倒なセッティングを一切行なうことなく、その場所で常に最適な３Ｄ撮影を行なうことができる。これにより、誰もが気軽に効果的な３Ｄ撮影を簡単かつ確実に行なうことができる。
【００６８】
また、スタンド４０に取り付けて撮影するため、手ブレ等も起こすことなく、確実に撮影することができる。
【００６９】
なお、本実施の形態では、デジタルカメラ１０と撮像ユニット４８とをコネクタ（オスコネクタ５２とメスコネクタ２６）で直接接続し、互いに信号を送受信できるように構成しているが、ケーブル等で通信可能に接続するようにしてもよい。また、赤外線通信等の手段を用いて無線で信号を送受信するようにしてもよい。
【００７０】
また、本実施の形態では、デジタルカメラ１０に設けられた内蔵メモリ７２に撮影した画像データを記録するようにしているが、無線通信手段を用いてサーバ等に記録するようにしてもよい。また、内蔵メモリではなく、着脱可能なメモリカードに画像データを記録するようにしてもよい。
【００７１】
また、撮影に際しては、次のように行なうようにしてもよい。すなわち、撮像ユニット４８のＲＯＭ１００にその撮影スポットで３Ｄ撮影を行なう場合における最適な絞り値、フォーカス位置等の撮影条件の情報をあらかじめ格納しておく。撮像ユニット４８に接続されたデジタルカメラ１０は、この撮影条件の情報をＲＯＭ１００から読み出し、絞り値やフォーカス位置を設定して撮影を行なう。これにより、その場に適した、より最適な条件で撮影を行なうことができる。
【００７２】
この他、撮像ユニット４８のＲＯＭ１００には、インデックスやフレームを格納しておき、それらの情報を写しこんだ画像を撮影できるようにしてもよい。
【００７３】
また、デジタルカメラ１０が撮像ユニット４８に接続されると、自動的にセルフタイマ撮影になるようにしてもよい。
【００７４】
また、本実施の形態では、デジタルカメラ１０の撮影レンズ１４に単焦点の撮影レンズを用いているが、ズームレンズを用いてもよい。この場合、撮像ユニット４８のＲＯＭ１００には、その撮影スポットで３Ｄ撮影をするのに最適なズーム倍率の情報を格納しておくものとし、撮像ユニット４８に接続されたデジタルカメラ１０は、このＲＯＭ１００に記録された情報に基づいてズーム倍率を自動設定する。なお、この場合、撮像ユニット４８の撮影レンズ５４には、デジタルカメラ１０の撮影レンズ１４に設定される画角と同じ画角の撮影レンズがあらかじめ組み込まれているものとする。
【００７５】
また、本実施の形態では、本発明をテーマパークで使用する場合を例に説明したが、この他、観光施設やイベント施設等でも同様に使用することができる。そして、このような施設で本発明を利用することにより、来場者の撮影意欲を高めることができる。また、撮影場所の価値を高めることができ、施設の認知度を上げることもできる。
【図面の簡単な説明】
【００７６】
【図１】本発明に係る撮像システムの概念図
【図２】撮影スポットでの３Ｄ撮影の方法を説明する説明図
【図３】デジタルカメラとスタンドの構成を示す正面図
【図４】デジタルカメラとスタンドの構成を示す背面図
【図５】デジタルカメラと撮像ユニットの内部構成を示すブロック図
【符号の説明】
【００７７】
１…パーク、２…カメラセンタ、１０…デジタルカメラ（第１撮像ユニット）、１２…カメラボディ、１４…撮影レンズ、１６…ファインダ窓、１８…ストロボ、２０…セルフタイマランプ、２２…レリーズボタン、２４…メスジョイント、２６…メスコネクタ、２８…ファインダ接眼部、３０…液晶モニタ、３２…モードスイッチ、３４…メニュー／ＯＫボタン、３６…十字ボタン、３８…キャンセルボタン、３９…電源ボタン、４０…スタンド、４２…ベース部、４４…ポール部、４６…カメラ装着部、４８…撮像ユニット（第２撮像ユニット）、５０…オスジョイント、５２…オスコネクタ、５４…撮影レンズ、６０…ＣＰＵ、６２…撮像回路、６４…画像信号処理回路、６６…ＡＥ／ＡＦ／ＡＷＢ検出回路、６８…レンズ駆動装置、７０…圧縮／伸張処理回路、７２…内蔵メモリ、７４…画像再生処理回路、７６…通信インターフェイス、７８…接続検出回路、８０…同期信号発生回路、８２…ＲＯＭ、８４…ＲＡＭ、８６…操作部、９０…ＣＰＵ、９２…撮像回路、９４…画像信号処理回路、９６…レンズ駆動装置、９８…通信インターフェイス、１００…ＲＯＭ、１０２…ＲＡＭ
【図１】
2005151060.tif 000003
【図２】
2005151060.tif 000004
【図３】
2005151060.tif 000005
【図４】
2005151060.tif 000006
【図５】
2005151060.tif 000007